(57)【要約】【課題】様々な観察環境に応じたプレビュー画像を容易に生成する。【解決手段】表示処理装置では、記憶部が、原稿データと、観察環境を示す観察環境情報に対応する光属性を示す光源情報と、表示色の編集情報と、を予め記憶する。受付部１４Ａは、表示対象の原稿データの選択と、観察環境情報の選択と、編集情報の選択と、を受け付ける。編集部１４Ｂは、受け付けた編集情報を用いて、受け付けた原稿データの表示色を編集した編集原稿データを生成する。表示制御部１４Ｃは、受け付けた観察環境情報に対応する光源情報によって特定される光属性を、編集原稿データの表示された原稿面に設定した原稿表示面を含む画像を、受け付けた原稿データの印刷結果を推定したプレビュー画像として表示部に表示する制御を行う。【選択図】図８
2015233234.tif 000002
【特許請求の範囲】
【請求項１】
原稿データと、観察環境を示す観察環境情報に対応する光属性を示す光源情報と、表示色の編集情報と、を予め記憶する記憶部と、
表示対象の前記原稿データの選択と、前記観察環境情報の選択と、前記編集情報の選択と、を受け付ける受付部と、
受け付けた前記編集情報を用いて、受け付けた前記原稿データの表示色を編集した編集原稿データを生成する編集部と、
受け付けた前記観察環境情報に対応する前記光源情報によって特定される前記光属性を、前記編集原稿データの表示された原稿面に設定した原稿表示面を含む画像を、受け付けた前記原稿データの印刷結果を推定したプレビュー画像として表示部に表示する制御を行う表示制御部と、
を備えた表示処理装置。
【請求項２】
前記受付部は、
受け付けた前記原稿データと、受け付けた前記観察環境情報、受け付けた前記編集情報と、を編集履歴として前記記憶部に記憶する、
請求項１に記載の表示処理装置。
【請求項３】
前記表示制御部は、
前記記憶部に記憶された前記原稿データと、前記記憶部に記憶された１または複数の前記観察環境情報と、前記記憶部に記憶された１または複数の前記編集情報と、の各々を選択可能に表示した選択画面を前記表示部に表示する制御を行い、
前記受付部は、前記選択画面を介して、表示対象の前記原稿データの選択と、前記観察環境情報の選択と、前記編集情報の選択と、を受け付ける、
請求項１または請求項２に記載の表示処理装置。
【請求項４】
前記受付部は、表示対象の前記原稿データの選択と、複数の前記観察環境情報の選択と、複数の前記編集情報の選択と、を受け付け、
前記編集部は、受け付けた複数の前記編集情報の各々を用いて、受け付けた前記原稿データを編集した複数の前記編集原稿データを生成し、
前記表示制御部は、
複数の前記編集原稿データの各々を表示した複数の前記原稿面の各々に、受け付けた複数の前記観察環境情報の各々に対応する前記光源情報によって特定される複数の前記光属性の各々を設定することで生成した、複数の前記原稿表示面を各々含む、複数の前記プレビュー画像の一覧を、前記表示部に表示する制御を行う、
請求項１〜請求項３の何れか１項に記載の表示処理装置。
【請求項５】
ネットワークを介して接続された外部装置と通信する通信制御部を更に備え、
前記受付部は、
前記プレビュー画像の一覧から、１つのプレビュー画像の選択を更に受け付け、
前記通信制御部は、
選択された前記プレビュー画像に対応する、前記原稿データと、前記光源情報と、前記編集情報と、を前記外部装置へ送信する、
請求項４に記載の表示処理装置。
【請求項６】
前記光源情報は、光源から照射される光の色温度を含む、請求項１〜請求項５の何れか１項に記載の表示処理装置。
【請求項７】
前記光源情報は、前記色温度と、光源位置と、を含む、請求項６に記載の表示処理装置。
【請求項８】
前記編集情報は、色味の調整値、および、明るさの調整値の少なくとも一方を含む、請求項１〜請求項７の何れか１項に記載の表示処理装置。
【請求項９】
前記観察環境情報は、実空間における観察環境の背景画像を含み、
前記表示制御部は、
受け付けた前記環境情報に含まれる前記背景画像上に、前記原稿表示面を配置した前記プレビュー画像を、前記表示部に表示する制御を行う、請求項１〜請求項８の何れか１項に記載の表示処理装置。
【請求項１０】
記憶部に記憶された、原稿データ、観察環境を示す観察環境情報に対応する光属性を示す光源情報、および表示色の編集情報における、表示対象の前記原稿データの選択と、前記観察環境情報の選択と、前記編集情報の選択と、を受け付けるステップと、
受け付けた前記編集情報を用いて、受け付けた前記原稿データの表示色を編集した編集原稿データを生成するステップと、
受け付けた前記観察環境情報に対応する前記光源情報によって特定される前記光属性を、前記編集原稿データの表示された原稿面に設定した原稿表示面を含む画像を、受け付けた前記原稿データの印刷結果を推定したプレビュー画像として表示部に表示する制御を行うステップと、
を含む表示処理方法。
【請求項１１】
記憶部に記憶された、原稿データ、観察環境を示す観察環境情報に対応する光属性を示す光源情報、および表示色の編集情報における、表示対象の前記原稿データの選択と、前記観察環境情報の選択と、前記編集情報の選択と、を受け付けるステップと、
受け付けた前記編集情報を用いて、受け付けた前記原稿データの表示色を編集した編集原稿データを生成するステップと、
受け付けた前記観察環境情報に対応する前記光源情報によって特定される前記光属性を、前記編集原稿データの表示された原稿面に設定した原稿表示面を含む画像を、受け付けた前記原稿データの印刷結果を推定したプレビュー画像として表示部に表示する制御を行うステップと、
をコンピュータに実現させるためのプログラム。
【発明の詳細な説明】
【技術分野】
【０００１】
本発明は、表示処理装置、表示処理方法、及びプログラムに関する。
【背景技術】
【０００２】
印刷を行う前に、印刷結果を推定したプレビュー画像を表示する装置が知られている（例えば、特許文献１、特許文献２参照）。
【０００３】
特許文献１には、印刷結果の色、および記録メディア質感を含めたプレビュー画像を生成する技術が開示されている。特許文献２には、観察環境の色温度に適応するように原稿データを補正して表示する技術が開示されている。
【発明の概要】
【発明が解決しようとする課題】
【０００４】
しかし、従来では、色味などの調整後の原稿データを、さらに他の観察環境に適用することは出来なかった。このため、従来では、様々な観察環境に応じたプレビュー画像を容易に生成することが出来なかった。
【課題を解決するための手段】
【０００５】
上述した課題を解決し、目的を達成するために、本発明の表示処理装置は、原稿データと、観察環境を示す観察環境情報に対応する光属性を示す光源情報と、表示色の編集情報と、を予め記憶する記憶部と、表示対象の前記原稿データの選択と、前記観察環境情報の選択と、前記編集情報の選択と、を受け付ける受付部と、受け付けた前記編集情報を用いて、受け付けた前記原稿データの表示色を編集した編集原稿データを生成する編集部と、受け付けた前記観察環境情報に対応する前記光源情報によって特定される前記光属性を、前記編集原稿データの表示された原稿面に設定した原稿表示面を含む画像を、受け付けた前記原稿データの印刷結果を推定したプレビュー画像として表示部に表示する制御を行う表示制御部と、を備える。
【発明の効果】
【０００６】
本発明によれば、様々な観察環境に応じたプレビュー画像を容易に生成することができる、という効果を奏する。
【図面の簡単な説明】
【０００７】
【図１】図１は、実施の形態の表示処理装置の模式図である。
【図２】図２は、原稿データテーブルのデータ構造の一例を示す模式図である。
【図３】図３は、原稿データの反射率の一例を示す図である。
【図４】図４は、観察環境管理テーブルのデータ構造の一例を示す図である。
【図５】図５は、観察環境管理テーブルのデータ構造の一例を示す図である。
【図６】図６は、編集管理テーブルのデータ構造の一例を示す図である。
【図７】図７は、調整画面の一例を示す模式図である。
【図８】図８は、表示処理部の機能ブロック図である。
【図９】図９は、選択状況情報のデータ構造の一例を示す図である。
【図１０】図１０は、仮想の三次元空間を示す模式図である。
【図１１】図１１は、表示処理の手順を示すシーケンス図である。
【図１２】図１２は、仮想の三次元空間を示す模式図である。
【図１３】図１３は、実施の形態の表示処理装置の模式図である。
【図１４】図１４は、編集履歴のデータ構造の一例を示す図である。
【図１５】図１５は、表示処理部の機能ブロック図である。
【図１６】図１６は、選択画面の一例を示す図である。
【図１７】図１７は、選択画面の一例を示す図である。
【図１８】図１８は、選択状況情報のデータ構造の一例を示す図である。
【図１９】図１９は、複数のプレビュー画像の一覧の一例を示す模式図である。
【図２０】図２０は、表示処理の手順を示すシーケンス図である。
【図２１】図２１は、表示処理システムの一例を示す模式図である。
【図２２】図２２は、ハードウェア構成図である。
【発明を実施するための形態】
【０００８】
以下に添付図面を参照して、表示処理装置、表示処理方法、及びプログラムの実施の形態を詳細に説明する。
【０００９】
（第１の実施の形態）
図１は、本実施の形態の表示処理装置１０の模式図である。
【００１０】
表示処理装置１０は、プレビュー画像の表示を制御する装置である。表示処理装置１０は、携帯可能な携帯端末であってもよいし、固定型の端末であってもよい。
【００１１】
表示処理装置１０は、撮影部１２、表示処理部１４、記憶部１６、入力部１８、及び表示部２０を備える。撮影部１２、表示処理部１４、記憶部１６、入力部１８、及び表示部２０は、バス２２により電気的に接続されている。
【００１２】
なお、表示処理装置１０は、少なくとも表示処理部１４及び記憶部１６を備えた構成であればよく、撮影部１２、入力部１８、及び表示部２０の少なくとも１つを別体として設けた構成であってもよい。
【００１３】
撮影部１２は、表示部２０に表示されたプレビュー画像の、実空間における観察環境を撮影する。これによって、撮影部１２は、実空間における観察環境の撮影画像として背景画像を取得する。プレビュー画像のユーザによって観察される観察環境は、例えば、オフィス、展示会場、駅の構内、駅のホーム、各種建物内等である。
【００１４】
撮影部１２は、公知の撮影装置である。撮影部１２は、ユーザによる入力部１８の操作指示によって撮影が指示されることで、観察環境の撮影を行い、背景画像を得る。なお、表示処理装置１０は、撮影部１２を備えない構成であってもよい。この場合には、背景画像は、予め記憶部１６に記憶すればよい。
【００１５】
入力部１８は、ユーザから各種操作を受け付ける。入力部１８は、例えば、マウス、マイクによる音声認識、ボタン、リモコン、及びキーボード等である。
【００１６】
表示部２０は、各種画像を表示する。表示部２０は、ＬＣＤ（Ｌｉｑｕｉｄ  Ｃｒｙｓｔａｌ  Ｄｉｓｐｌａｙ）や、画像を投影するプロジェクタ等、公知の表示装置である。
本実施の形態では、表示部２０には、後述するプレビュー画像が表示される。
【００１７】
なお、入力部１８と表示部２０とを一体的に構成したタッチパネルとしてもよい。
【００１８】
表示処理部１４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータである。表示処理部１４は、表示処理装置１０に設けられた装置各部を制御する。なお、表示処理部１４は、ＣＰＵ以外の回路などで構成してもよい。
【００１９】
本実施の形態では、表示処理部１４は、ＯｐｅｎＧＬ（Ｏｐｅｎ  Ｇｒａｐｈｉｃｓ  Ｌｉｂｒａｒｙ）などの３Ｄグラフィックエンジンを用いて、表示制御を行う。
【００２０】
記憶部１６は、メモリやハードディスクドライブ装置（ＨＤＤ）等の記憶媒体であり、後述する各処理を実行するための各種プログラムや、各種データを記憶する。
【００２１】
本実施の形態では、記憶部１６は、原稿管理テーブルと、観察環境管理テーブルと、編集管理テーブルと、を予め記憶する。
【００２２】
図２は、原稿データテーブルのデータ構造の一例を示す模式図である。原稿データテーブルは、原稿識別情報（以下、原稿ＩＤと称する）と、原稿名と、原稿データと、を対応づけた情報である。なお、原稿データテーブルは、原稿ＩＤと、原稿名と、原稿データと、を対応づけた情報であればよく、データベースであってもよいし、テーブルであってもよいし、そのデータ形式は限定されない。
【００２３】
原稿データは、記録媒体に画像形成する対象の画像データである。プレビュー画像は、原稿データの印刷結果を推定した画像である。原稿ＩＤは、対応する原稿データを一意に識別する識別情報である。原稿名は、対応する原稿データの名称である。原稿データのデータ形式は限定されない。
【００２４】
原稿管理テーブルには、ユーザによる入力部１８の操作指示などによって、原稿データ、および対応する原稿名が予め登録される。原稿ＩＤは、例えば、原稿データごとに、表示処理装置１０側で一意に付与すればよい。また、原稿管理テーブルは、ユーザによる入力部１８の操作指示などによって、適宜更新可能である。
【００２５】
なお、記憶部１６の原稿管理テーブルに格納されている各原稿データには、ＲＧＢの色成分ごとの反射率が予め設定されている。図３は、原稿データに設定されたＲＧＢの色成分ごとの反射率の一例を示す図である。
【００２６】
本実施の形態では、反射率として、３種類の反射属性を規定している。具体的には、本実施の形態では、反射率は、鏡面光反射率、拡散光反射率、及び環境光反射率を含む。鏡面光反射率は、入射角と反射角の等しくなる反射率である。拡散光反射率は、乱反射する反射率である。環境光反射率は、繰り返し乱反射して得られる光の反射率である。原稿データにおけるＲＧＢの各成分の値により、これらの鏡面光反射率、拡散光反射率、及び環境光反射率の各々の反射色および反射強度を設定している。具体的には、図３中、鏡面光反射率の値の一例として記載した“（０．５，０．５，０．５）”は、Ｒ成分、Ｇ成分、Ｂ成分の各々の鏡面光反射率が“０．５”であることを示す。
【００２７】
なお、原稿データに応じた印刷対象の記録媒体の紙質の種類によって、反射率は異なる値となる。本実施の形態では、紙質の種類による各波長の反射率が同じであるものとして説明する。
【００２８】
観察環境管理テーブルは、観察環境を示す観察環境情報に対応する光属性を示す光源情報を定めた情報である。
【００２９】
図４は、観察環境管理テーブルのデータ構造の一例を示す図である。観察環境管理テーブルは、観察環境情報と、光源情報と、を対応づけた情報である。なお、観察環境管理テーブルは、観察環境情報と、光源情報と、を対応づけた情報であればよく、データベースであってもよいし、テーブルであってもよいし、そのデータ形式は限定されない。
【００３０】
観察環境情報は、観察環境を示す情報である。本実施の形態では、観察環境情報は、観察環境識別情報（以下、環境ＩＤと称する）と、観察環境名と、背景画像と、を含む。環境ＩＤは、観察環境の識別情報である。観察環境名は、観察環境を示す名称である。
【００３１】
背景画像は、観察環境の背景画像である。なお、観察環境情報は、背景画像を含まない形態であってもよい。この場合、背景画像は、別途、記憶部１６に格納すればよい。
【００３２】
表示処理部１４は、背景画像を撮影部１２から取得してもよいし、予め記憶部１６に記憶してもよい。
【００３３】
光源情報は、対応する観察環境情報によって特定される、実空間の観察環境の光属性を示す情報である。光属性は、プレビュー画像表示時の光を演出するための、光源と反射量を特定するための情報である。
【００３４】
本実施の形態では、光源情報は、色温度を含む。色温度は、対応する観察環境情報によって特定される観察環境における光源の色温度である。色温度によって示される色および明るさは、ＲＧＢの色成分ごとの光量または輝度で表すことができる。そして、プレビュー画像表示時の光を演出するための反射量は、光源の光量（光源情報）と、物体の反射率（上記図３で示した値）と、の乗算値により定まる。図４には、光源情報として、色温度に関する項目である、ＲＧＢの色成分ごとの光量（輝度）（鏡面光量、拡散光量、環境光量）を示した。本実施の形態では、光源の光源種や、光源の配置位置や、光源の方向は、固定であるものとして説明する。
【００３５】
観察環境管理テーブルは、ユーザによる入力部１８の操作指示によって各値が入力され、記憶部１６に記憶される。また、観察環境管理テーブルは、ユーザによる入力部１８の操作指示などによって、適宜更新可能である。
【００３６】
なお、観察環境管理テーブルは、光源情報として、色温度（単位“Ｋ”）と、色温度を示す反射率（鏡面光反射率、拡散光反射率、環境光反射率）と、を規定した情報であってもよい。
【００３７】
図５は、観察環境管理テーブルの図４とは異なるデータ構造の一例を示す図である。図５に示すように、観察環境管理テーブルは、光源情報として、色温度と、色温度に関する項目である光量（鏡面光量、拡散光量、環境光量）と、を規定した情報であってもよい。
【００３８】
例えば、ユーザによる入力部１８の操作指示によって、観察環境情報と、対応する色温度と、が入力されると、表示処理部１４が、入力された観察情報と色温度とを対応づけて観察環境管理テーブルに登録する。そして、表示処理部１４は、登録した色温度から、公知の計算式を用いて、光源情報として、該色温度に関する項目である、ＲＧＢの色成分ごとの光量（鏡面光量、拡散光量、環境光量）を算出し、該観察環境管理テーブルに登録してもよい。この場合、ユーザは、入力部１８の操作指示によって、観察環境情報に対応する色温度を設定することで、該色温度に関する項目である反射量を観察環境管理テーブルに登録させることができる。
【００３９】
編集管理テーブルは、表示色の編集情報を規定した情報である。図６は、編集管理テーブルのデータ構造の一例を示す図である。編集管理テーブルは、編集識別情報（以下、編集ＩＤと称する）と、編集名と、編集情報と、を対応づけた情報である。編集管理テーブルは、編集情報を規定した情報であればよく、データベースであってもよいし、テーブルであってもよいし、そのデータ形式は限定されない。
【００４０】
編集ＩＤは、編集名と、編集情報と、の対応を識別する情報である。編集名は、編集情報に対応する編集の名称である。
【００４１】
編集情報は、表示色の編集値を定めた情報である。表示色は、プレビュー画像を表示部２０に表示したときの、表示色を示す。本実施の形態では、プレビュー画像は、原稿表示面を含む。原稿表示面は、原稿データの表示された原稿面に、ユーザによって指定された観察環境情報に対応する光属性を設定したものである。表示色は、この原稿表示面の表示色を示す。
【００４２】
本実施の形態では、表示色の編集値は、色味の調整値、明るさの調整値などを含む。なお、表示色の編集値は、表示色に関する他の編集値（例えば、ガンマ補正値）を含んでいてもよい。
【００４３】
明るさの調整値は、表示色の明るさを示す値である。
【００４４】
色味の調整値は、色味を調整するための各色成分の強弱を表すパラメータで示される。本実施の形態では、色味の調整値は、一例として、“赤み”に関する係数（係数ｓとする）と“青み”に関する係数（係数ｔとする）で表す場合を説明する。なお、色味の調整値は、赤み及び青みに限定されず、赤み及び青み以外の他の色に関する係数を更に含むものであってもよい。
【００４５】
編集管理テーブルは、ユーザによる入力部１８の操作指示などに応じて、適宜更新可能である。
【００４６】
例えば、ユーザは、予め、色味調整画面などを介して、色味の調整値を入力する。図７は、色味の調整値を入力するための調整画面６０の一例を示す模式図である。
【００４７】
図７に示すように、調整画面６０は、スライドバー６０Ｂと、スライドバー６０Ｂにおける調整位置を示すサム６０Ａと、を含む。スライドバー６０Ｂの延伸方向の一端側には、「赤み」の文字が表示され、他端側には、「青み」の文字が表示されている。
【００４８】
ユーザは、スライドバー６０Ｂにおけるサム６０Ａの位置を調整することで、“赤み”に関する係数ｓと、“青み”に関する係数ｔと、を調整することができる。ユーザは、入力部１８の操作指示によって、スライドバー６０Ｂの延伸方向の「赤み」側にサム６０Ａを位置させるほど、赤みを増加させ、「青み」側に位置させるほど、青みを増加させることができる。
【００４９】
表示処理部１４では、ユーザによる入力部１８の操作指示によって指示された、スライドバー６０Ｂの延伸方向におけるサム６０Ａの位置を取得することで、サム６０Ａの位置に応じた“赤み”に関する係数ｓと“青み”に関する係数ｔとを、色味の調整値として取得し、編集管理テーブルに登録すればよい。
【００５０】
表示処理部１４は、例えば、スライドバー６０Ｂの延伸方向におけるサム６０Ａの位置が、該延伸方向の中央部に位置する場合、係数ｓ＝係数ｔ＝０とした色味の調整値を取得する。また、表示処理部１４は、サム６０Ａの位置がスライドバー６０Ｂの延伸方向の中央部より“赤み”側の場合、係数ｔ＝０としたまま、サム６０Ａが“赤み”側の端部に位置するほど、係数ｓの値を１．０（最大値）に向かって増加させた値を取得する。
【００５１】
また、表示処理部１４は、サム６０Ａの位置がスライドバー６０Ｂの延伸方向の中央部より“青み”側の場合、係数ｓ＝０としたまま、サム６０Ａが“青み”側の端部に位置するほど、係数ｔの値を１．０（最大値）に向かって増加させた値を取得する。
【００５２】
そして、表示処理部１４は、“赤み”に関する係数ｓと、“青み”に関する係数ｔと、を色味の調整値として、編集管理テーブルに格納する。
【００５３】
図１に戻り、説明を続ける。表示処理部１４は、主に、原稿データのプレビュー画像を表示部２０へ表示する制御を行う。
【００５４】
プレビュー画像は、原稿データを編集した画像の表示された表示面を含む。本実施の形態では、プレビュー画像は、背景画像上に、原稿データ等を編集した画像の表示された表示面を重ねた画像である場合を説明する（詳細後述）。本実施の形態では、表示処理部１４は、例えば、ＯｐｅｎＧＬなどの３Ｄグラフィックエンジンによりプレビュー画像の表示を実現する。
【００５５】
背景画像は、上述したように、プレビュー画像を表示する実空間における観察環境の撮影画像である。背景画像上に重ねる表示面は、本実施の形態では、原稿表示面である。原稿表示面は、原稿データの表示された原稿面に、少なくとも、観察環境の光属性を設定した画像である。原稿表示面及びプレビュー画像の表示処理の詳細は、後述する。
【００５６】
本実施の形態では、プレビュー画像は、仮想の三次元空間（以下、仮想空間と称する場合がある）に背景画像を配置し、背景画像上の三次元空間上に原稿表示面を配置した三次元モデルを、二次元面に投影した画像である場合を説明する。
【００５７】
３次元モデルは、表示部２０の表示画面の横方向をｘ軸、上下方向をｙ軸、表示画面に垂直な方向をｚ軸とする。なお、プレビュー画像は、背景画像、及び原稿表示面を二次元空間に配置した二次元モデルであってもよい。
【００５８】
また、本実施の形態では、プレビュー画像は、背景画像上に、原稿表示面を配置した画像である場合を説明するが、背景画像を含まず、原稿表示面を含む画像であってもよい。また、プレビュー画像は、更に、他の表示面を含んだ画像であってもよい。
【００５９】
他の表示面としては、例えば、無色の現像剤を用いて形成する透明画像の表示された表示面や、無色の現像剤を用いて紙に与える表面効果を規定した表面効果画像の表示された表示面等が挙げられるが、これらに限られない。
【００６０】
プレビュー画像が、複数の表示面を含む場合には、プレビュー画像は、これらの複数の表示面を、ｚ軸方向に沿って異なる位置に配置した画像とすればよい。
【００６１】
図８は、表示処理部１４の機能ブロック図である。表示処理部１４は、受付部１４Ａと、編集部１４Ｂと、表示制御部１４Ｃと、を含む。
【００６２】
受付部１４Ａ、編集部１４Ｂ、及び表示制御部１４Ｃの一部または全ては、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００６３】
受付部１４Ａは、表示対象の原稿データの選択と、観察環境情報の選択と、を受け付ける。受付部１４Ａは、入力部１８から、原稿データの選択と、観察環境情報の選択と、編集情報の選択と、を受け付ける。
【００６４】
例えば、表示制御部１４Ｃが、記憶部１６から原稿管理テーブル（例えば、図２参照）を読取り、原稿管理テーブルに登録されている原稿データを選択可能に表示部２０に表示する。例えば、表示制御部１４Ｃは、原稿管理テーブルに登録されている原稿名の一覧を選択可能に表示部２０に表示する。ユーザは、入力部１８を操作することで、表示された原稿名の一覧の中から、表示対象の原稿データの原稿名を選択する。入力部１８は、ユーザによって選択された原稿名を示す信号を表示処理部１４へ出力する。表示処理部１４の受付部１４Ａは、入力部１８から受け付けた、原稿名を示す情報に対応する原稿データを原稿管理テーブルから読取ることで、表示対象の原稿データの選択を受け付ける。
【００６５】
また、例えば、表示制御部１４Ｃが、記憶部１６から観察環境テーブル（例えば、図４参照）を読取り、観察環境テーブルに登録されている観察環境情報の観察環境名の一覧を表示部２０に表示する。ユーザは、入力部１８を操作することで、表示された観察環境名の一覧の中から、プレビュー画像を観察する環境を選択する。入力部１８は、ユーザによって選択された観察環境名を示す信号を、表示処理部１４へ出力する。表示処理部１４の受付部１４Ａは、入力部１８から受け付けた観察環境名の観察環境情報を観察環境テーブルから読取ることで、観察環境情報の選択を受け付ける。
【００６６】
また、例えば、表示制御部１４Ｃが、記憶部１６から編集管理テーブル（例えば、図６参照）を読取り、編集管理テーブルに登録されている編集情報に対応する編集名の一覧を表示部２０に表示する。ユーザは、入力部１８を操作することで、表示された編集名の一覧の中から、原稿データの表示色を編集するための編集名を選択する。入力部１８は、ユーザによって選択された編集名を示す信号を、表示処理部１４へ出力する。表示処理部１４の受付部１４Ａは、入力部１８から受け付けた編集名に対応する編集情報を、編集管理テーブルから読取ることで、編集情報の選択を受け付ける。
【００６７】
なお、ユーザによる入力部１８の操作指示によって、編集情報によって示される調整値（色味の調整値や、明るさの調整値）の入力を可能としてもよい。この場合、例えば、表示部２０の予め定められた新規の編集情報の入力を指示するための指示領域がユーザによる入力部１８の操作指示によって指示されると、表示制御部１４Ｃは、調整画面６０（図７参照）を表示部２０に表示すればよい。そして、ユーザによる入力部１８の操作指示によって、調整画面６０のサム６０Ａの位置が調整されると、受付部１４Ａは、調整された位置に応じた色味の調整値を示す情報を受け付ける。また、受付部１４Ａは、図示を省略する入力画面を介して、該色味の調整値に対応する編集名を入力部１８から受け付ける。すると、受付部１４Ａは、受け付けた色味の調整値と、編集名と、を対応づけて編集管理テーブルに登録する。また、受付部１４Ａは、入力された色味の調整値を、編集情報の選択として受け付ければよい。
【００６８】
そして、受付部１４Ａは、受け付けた情報を、ユーザによる選択状況を示す選択状況情報として、記憶部１６に記憶する。なお、受付部１４Ａは、後述する処理によってプレビュー画像が表示されるたびに、選択状況情報をクリアする。
【００６９】
図９は、選択状況情報のデータ構造の一例を示す図である。選択状況情報は、受付部１４Ａで受け付けた表示対象の原稿データの原稿ＩＤと、受け付けた観察環境情報の環境ＩＤと、受け付けた編集情報の編集ＩＤと、を対応付けた情報である。なお、選択状況情報は、これらのＩＤの各々に対応する実データ（原稿データ、観察環境情報、編集情報）であってもよい。
【００７０】
なお、ユーザによる入力部１８の操作指示などによって、表示対象の原稿データ、観察環境情報、および編集情報の少なくとも１つが変更または更新された場合、受付部１４Ａは、選択された最新の情報が登録されるように、選択状況情報を適宜更新する。
【００７１】
図８に戻り、編集部１４Ｂは、受付部１４Ａで受け付けた編集情報を用いて、受付部１４Ａで受け付けた表示対象の原稿データを編集した編集原稿データを生成する。具体的には、編集部１４Ｂは、選択状況情報（図９参照）に登録されている原稿ＩＤに対応する原稿データを記憶部１６の原稿管理テーブルから読取ることで、受付部１４Ａで受け付けた編集情報を取得する。そして、編集部１４Ｂは、編集原稿データを生成する。
【００７２】
例えば、受付部１４Ａが、編集情報として、“赤み”に関する係数ｓと、“青み”に関する係数ｔと、を含む色味の調整値を受け付けたとする。
【００７３】
この場合、編集部１４Ｂは、受け付けた原稿データの各画素のＲＧＢの各色値（画素値）を、下記式（１）〜式（３）の各々を用いて補正する。
【００７４】
Ｒ＝（１−ｔ）ｒ        ・・・式（１）
Ｇ＝（１−ｓ−ｔ）ｇ    ・・・式（２）
Ｂ＝（１−ｓ）ｂ        ・・・式（３）
【００７５】
式（１）は、各画素のＲの色成分の色値（画素値）の補正を示す式である。式（１）中、“Ｒ”は、編集原稿データ（補正後の原稿データ）のＲ（レッド）の色成分の色値を示す。式（１）中、“ｒ”は、原稿データのＲ（レッド）の色成分の色値を示す。
【００７６】
式（２）は、各画素のＧの色成分の色値（画素値）の補正を示す式である。式（２）中、“Ｇ”は、編集原稿データ（補正後の原稿データ）のＧ（グリーン）の色成分の色値を示す。式（２）中、“ｇ”は、原稿データのＧ（グリーン）の色成分の色値を示す。
【００７７】
式（３）は、各画素のＢの色成分の色値（画素値）の補正を示す式である。式（３）中、“Ｂ”は、編集原稿データ（補正後の原稿データ）のＢ（ブルー）の色成分の色値を示す。式（３）中、“ｂ”は、原稿データのＢ（ブルー）の色成分の色値を示す。
【００７８】
式（１）〜式（３）中、“ｓ”は、“赤み”に関する係数ｓであり、“ｔ”は、“青み”に関する係数ｔである。
【００７９】
なお、受付部１４Ａで受け付けた編集情報が、明るさの調整値や、ガンマ補正値などの他の調整値も含む場合、編集部１４Ｂは、これらの編集情報に応じた編集を原稿データに行う。
【００８０】
例えば、編集情報が、明るさの調整値を更に含む場合、編集部１４Ｂは、原稿データについて、受け付けた色味の調整値に応じた上記色味の調整を行うと共に、受け付けた明るさの調整値に応じた明るさに、各画素の色値を調整することで、編集原稿データを生成する。
【００８１】
表示制御部１４Ｃは、受け付けた観察環境情報に対応する光源情報によって特定される光属性を、編集部１４Ｂで表示色の編集された原稿データである編集原稿データの表示された原稿面に設定した原稿表示面を含む画像を、プレビュー画像として表示部２０に表示する制御を行う。プレビュー画像は、受け付けた原稿データの印刷結果を推定した画像である。
【００８２】
すなわち、表示制御部１４Ｃは、３Ｄグラフィックエンジン（本実施の形態では、ＯｐｅｎＧＬ）を用いて、プレビュー画像を生成し、表示部２０へ表示する制御を行う。
【００８３】
詳細には、まず、表示処理部１４Ｃは、受付部１４Ａで受け付けた観察環境情報に対応する光源情報によって特定される光属性を、編集原稿データの表示された原稿面に設定する。光属性は、例えば、３Ｄエンジンにおける、光源の光の色、光源の位置、および光源の方向で特定される属性である。本実施の形態では、光源の位置及び方向は予め設定されているものとする。光源の光の色は、上述した色温度に相当する。
【００８４】
次に、表示制御部１４Ｃは、原稿面の表示時の法線ベクトル、および仮想の三次元空間における原稿面の配置位置を設定する。例えば、表示制御部１４Ｃは、原稿面の法線ベクトル及び配置位置を記憶部１６から読み取る。なお、本実施の形態では、原稿面の法線ベクトル及び配置位置は、予め定められており、記憶部１６に記憶されているものとする。
【００８５】
なお、原稿面の配置位置や、プレビュー画像が複数の表示面を含む場合の各表示面の間隔は、ユーザによる入力部１８の操作指示によって、任意の間隔に変更可能としてもよい。
【００８６】
次に、表示制御部１４Ｃは、仮想の三次元空間における、原稿面の設定した配置位置に、光属性が設定され、かつ編集原稿データの表示された原稿面をテクスチャマッピングする。これにより、原稿表示面が生成される。
【００８７】
そして、表示制御部１４Ｃは、受け付けた観察環境情報に含まれる背景画像（図４参照）を、仮想の三次元空間の表示領域に合わせて原稿表示面の背後に配置する。これにより、表示制御部１４Ｃは、背景画像上に、原稿表示面を重ねた画像を、原稿データの印刷結果を推定したプレビュー画像として表示部２０に表示する制御を行う。
【００８８】
図１０は、プレビュー画像を構成するための仮想の三次元空間を示す模式図である。表示制御部１４Ｃは、仮想の三次元空間Ｓ（図１０の、仮想空間Ｓに対応）に、原稿表示面３２を配置する。そして、表示制御部１４Ｃは、原稿表示面３２の背後に、背景画像３０を配置する。また、表示制御部１４Ｃは、受付部１４Ａで受け付けた、ユーザによって選択された光源情報によって特定される色温度の光源Ｌを、仮想の三次元空間に配置する。光源Ｌの配置位置は、予め記憶部１６に記憶すればよい。なお、光源情報（図４参照）を、更に、光源の配置位置を含む構成としてもよい。この場合、表示制御部１４Ｃは、受付部１４Ａで受け付けた光源情報によって特定される色温度の光源Ｌを、該光源情報によって特定される配置位置に配置する。また、光源情報を、更に、光源の種類である光源種をＰを含む構成としてもよい。この場合、表示制御部１４Ｃは、受付部１４Ａで受け付けた光源情報によって特定される色温度の光源Ｌを、該光源情報によって特定される光源種に対応する強度として、該光源情報によって特定される配置位置に、配置すればよい。
【００８９】
そして、表示制御部１４Ｃは、この仮想空間内で構成した状態を、３Ｄグラフィックエンジンを利用して、視点Ｐからみた２次元画像に変換し、プレビュー画像３４として、表示部２０へ表示する制御を行う。
【００９０】
次に、表示処理装置１０で実行する表示処理の流れを説明する。図１１は、表示処理装置１０で実行する表示処理の手順を示すシーケンス図である。
【００９１】
まず、ユーザが入力部１８を操作することで、入力部１８がプレビュー画像の表示指示を受け付けると、入力部１８は、該表示指示を受付部１４Ａへ送信する（ステップＳ１００）。
【００９２】
受付部１４Ａは、受け付けた表示指示を、表示制御部１４Ｃへ送信する（ステップＳ１０２）。表示制御部１４Ｃは、表示指示を受け付けると、原稿管理テーブル（図２参照）、観察環境テーブル（図４参照）、編集管理テーブル（図６参照）を読取る（ステップＳ１０４〜ステップＳ１０６）。
【００９３】
そして、表示制御部１４Ｃは、原稿管理テーブルに登録されている原稿データを選択可能に表示部２０に表示する（ステップＳ１０８）。また、表示制御部１４Ｃは、観察環境テーブルに登録されている観察環境情報の観察環境名の一覧を表示部２０に表示する（ステップＳ１０８）。また、表示制御部１４Ｃは、編集管理テーブルに登録されている編集名の一覧を表示部２０に表示する（ステップＳ１０８）。
【００９４】
ユーザは、表示部２０に表示されたこれらの一覧を見ながら入力部１８を操作することで、表示対象の原稿データ、プレビュー画像を観察する観察環境名、および、表示色を編集するための編集名を選択する。これにより、受付部１４Ａは、入力部１８から、表示対象の原稿データの選択、観察環境情報の選択、および、編集情報の選択を受け付ける（ステップＳ１１０）。
【００９５】
受付部１４Ａは、受け付けた原稿データに対応する原稿ＩＤ、受け付けた観察環境情報に対応する環境ＩＤ、および、受け付けた編集情報に対応する編集ＩＤを対応づけて、選択状況情報として、記憶部１６に記憶する（ステップＳ１１２）（図９参照）。
【００９６】
なお、ステップＳ１０８〜ステップＳ１１２の処理は、原稿データの選択、観察環境情報の選択、および、編集情報の選択、の各々ごとに、一覧の表示、ユーザの入力部１８の操作による選択、および受付部１４Ａによる受付、の一連の処理を順次行ってもよい。
【００９７】
受付部１４Ａは、ステップＳ１１２で選択状況情報（図９参照）に格納した原稿ＩＤと、編集ＩＤと、を含む編集信号を、編集部１４Ｂへ送信する（ステップＳ１１４）。
【００９８】
編集部１４Ｂは、受付部１４Ａから受け付けた編集信号に、編集ＩＤが含まれない場合、ステップＳ１１６〜ステップＳ１２４の処理を実行する（図１１中、Ａ参照）。
【００９９】
この場合、まず、編集部１４Ｂは、表示制御部１４Ｃに、編集情報の取得要求を送信する（ステップＳ１１６）。
【０１００】
該取得要求を受け付けると、表示制御部１４Ｃは、例えば、調整画面６０（図７参照）を表示部２０に表示する（ステップＳ１１８）。ユーザによる入力部１８の操作指示によって、調整画面６０のサム６０Ａの位置が調整されると、受付部１４Ａは、調整された位置に応じた色味の調整値を示す情報を受け付ける（ステップＳ１２０）。また、受付部１４Ａは、図示を省略する入力画面を介して、該色味の調整値に対応する編集名を入力部１８から受け付ける（ステップＳ１２０）。
【０１０１】
すると、受付部１４Ａは、受け付けた色味の調整値と、編集名と、を対応づけて編集管理テーブルに登録する。なお、このとき、表示制御部１４Ｃは、明るさの調整画面を更に表示してもよい。この場合、受付部１４Ａは、明るさの調整値を取得して、編集管理テーブルに登録すればよい。そして、受付部１４Ａは、新たに登録した編集情報（例えば、色味の調整値、明るさの調整値）に対応づけて、受け付けた編集面を編集管理テーブルに登録すると共に、新たな編集ＩＤを付与することで、編集管理テーブルを更新する（図６参照）。また、受付部１４Ａは、編集管理テーブルに新たに登録した該編集情報に対応する編集ＩＤを、選択状況情報（図９参照）に登録する(ステップＳ１２２)。
【０１０２】
次に、受付部１４Ａは、新たに登録した編集情報を、編集部１４Ｂへ送信する（ステップＳ１２４）。
【０１０３】
これらのステップＳ１１６〜ステップＳ１２４の処理によって、新たな編集情報の受付、編集管理テーブルへの登録（更新）、選択状況情報への登録、が行われる。
【０１０４】
次に、編集部１４Ｂは、ステップＳ１１４（またはステップＳ１２４）で受け付けた編集情報を用いて、ステップＳ１１４で受け付けた原稿ＩＤに対応する原稿データを編集した編集原稿データを生成する（ステップＳ１２６）。
【０１０５】
ステップＳ１２６の処理によって、原稿データを表示したときの表示色が、ユーザによって指示された編集情報によって示される表示色に編集される。
【０１０６】
次に、編集部１４Ｂは、原稿データの表示色を編集した編集原稿データを表示制御部１４Ｃへ送信する（ステップＳ１２８）。
【０１０７】
表示制御部１４Ｃは、記憶部１６に記憶されている選択状況情報に登録されている、環境ＩＤを読取る。そして、表示制御部１４Ｃは、該環境ＩＤに対応する光源情報と、該環境ＩＤに対応する背景画像と、を観察環境テーブル（図４または図５参照）から読取る（ステップＳ１３０〜ステップＳ１３２）。
【０１０８】
次に、表示制御部１４Ｃは、背景画像と、ステップＳ１２８で受け付けた編集原稿データの表示された原稿面に、ステップＳ１３０〜ステップＳ１３２で読取った光源情報によって特定される光属性を設定した原稿表示面と、重畳したプレビュー画像３４を、表示部２０に表示する制御を行う（ステップＳ１３４、ステップＳ１３６）。
【０１０９】
なお、プレビュー画像３４を表示部２０に表示した後に、更に、ユーザによる入力部１８の操作指示によって、編集情報によって示される調整値（色味の調整値や、明るさの調整値）の入力を可能としてもよい。この場合、例えば、表示部２０の予め定められた新規の編集情報の入力を指示するための指示領域がユーザによる入力部１８の操作指示によって指示されると、表示制御部１４Ｃは、調整画面６０（図７参照）を表示部２０に表示すればよい。そして、ステップＳ１１８〜ステップＳ１３６の処理を実行すればよい。
【０１１０】
また、ステップＳ１３６の処理実行後に、再度、ステップＳ１００の処理を実行する場合、表示処理装置１０では、受付部１４Ａが、記憶部１６に記憶した選択状況情報（図９参照）をクリアし、ステップＳ１００から処理を実行する。このため、本実施の形態では、選択状況情報は、プレビュー画像３４の１回の表示ごとに、クリアされることとなる。
【０１１１】
以上説明したように、本実施の形態の表示処理装置１０では、記憶部１６が、原稿データと、観察環境を示す観察環境情報に対応する光属性を示す光源情報と、表示色の編集情報と、を予め記憶する。受付部１４Ａは、表示対象の原稿データの選択と、観察環境情報の選択と、編集情報の選択と、を受け付ける。編集部１４Ｂは、受け付けた編集情報を用いて、受け付けた原稿データの表示色を編集した編集原稿データを生成する。表示制御部１４Ｃは、受け付けた観察環境情報に対応する光源情報によって特定される光属性を、編集原稿データの表示された原稿面に設定した原稿表示面を含む画像を、受け付けた原稿データの印刷結果を推定したプレビュー画像３４として表示部２０に表示する制御を行う。
【０１１２】
このように、本実施の形態の表示処理装置１０では、原稿データと、光源情報と、編集情報と、を個別に記憶し、ユーザによって選択された、原稿データと、光源情報と、編集情報と、を用いて、表示色の調整及びプレビュー画像３４の表示を行う。
【０１１３】
このため、本実施の形態の表示処理装置１０では、色味などの調整を行った場合であっても、他の観察環境に応じたプレビュー画像３４を容易に提供することができる。従って、本実施の形態の表示処理装置１０では、様々な観察環境に応じたプレビュー画像３４を容易に生成することが出来る。
【０１１４】
また、ユーザによる入力部１８の操作などによって、観察環境に応じた光源情報によって特定される光属性に応じた、光源から照射された光の色温度の影響を調整するために、原稿データに対して、ユーザによる入力部１８の操作指示などによって色味の調整や明るさの調整などが行われた場合であっても、他の観察環境用のプレビュー画像３４を容易に生成することができる。
【０１１５】
（第２の実施の形態）
なお、上記実施の形態では、紙質の種類による各波長の反射率が同じであるものとして説明した。また、上記実施の形態では、光源の配置位置や、光源の方向は、固定であるものとして説明した。
【０１１６】
しかし、表示処理装置１０は、紙質の種類や、光源の配置位置や、光源の方向、に応じた、プレビュー画像を生成してもよい。
【０１１７】
この場合、受付部１４Ａは、入力部１８から、質感情報を更に受け付ければよい。質感情報とは、プレビュー画像表示時に用いる質感（視覚的な効果）を示す情報である。具体的には、原稿データの印刷対象の記録媒体の紙質の種類を、質感情報として受け付ける。
【０１１８】
紙質の種類は、画像形成された記録媒体を視認したときに、紙質の違いがユーザによって確認される程度に異なる種類毎に予め定められている。紙質の種類には、例えば、ミラーコート紙、グロス紙、マット紙等があるが、これら以外の種類を含んでいてもよい。
【０１１９】
また、この場合、記憶部１６は、質感情報に対応する反射情報を質感情報テーブルとして予め記憶する。質感情報テーブルに格納されている反射情報は、質感情報（すなわち、紙質の種類）に応じた質感を表現するために用いる情報である。この反射情報は、鏡面光反射率、拡散光反射率、環境光反射率、自発光反射率、及び鏡面反射指数を含む。
【０１２０】
自発光は、物体が自ら発光する光の光量を示す。なお、自発光に示される光量は、通常のプレビュー画像表示においては用いないが、印刷対象の紙が蛍光増白剤を多く含む紙質の種類である場合には、演出として用いてもよい。
【０１２１】
鏡面反射指数は、プレビュー画像における、三次元空間上に疑似的に配置した表示面と、表示制御部１４Ｃでサポートしている光源と、の距離に応じて光量の減衰を制御するためのパラメータである。
【０１２２】
なお、質感情報テーブルに格納されている各情報は、ユーザによる入力部１８の操作指示によって、適宜変更可能である。
【０１２３】
受付部１４Ａは、入力部１８から紙質の種類として質感情報を受け付けると、質感情報テーブルから受け付けた質感情報に対応する反射情報を読取り、表示制御部１４Ｃへ出力する。
【０１２４】
また、受付部１４Ａは、入力部１８から、光源の配置位置や光源の方向を更に取得すればよい。
【０１２５】
受付部１４Ａは、受け付けた光源の配置位置および光源の方向を、表示制御部１４Ｃへ出力する。
【０１２６】
そして、表示制御部１４Ｃは、編集原稿データの表示された原稿面に、上記光属性と、質感情報に対応する反射情報と、を設定した原稿表示面を含む画像を、該原稿データの印刷結果を推定したプレビュー画像３４として表示部２０に表示する制御を行えばよい。
【０１２７】
図１２は、プレビュー画像３４Ａを構成するための仮想の三次元空間を示す模式図である。表示制御部１４Ｃは、仮想の三次元空間Ｓに、原稿表示面３２Ａを配置する。また、表示制御部１４Ｃは、この原稿表示面３２Ａに、受け付けた質感情報に対応する反射情報を設定する。また、表示制御部１４Ｃは、この原稿表示面３２Ａに、受け付けた光属性を設定する。
【０１２８】
そして、表示制御部１４Ｃは、仮想の三次元空間における光源Ｌの色温度を、ユーザによって選択された光源情報によって特定される色温度とする。そして、表示制御部１４Ｃは、この光源Ｌを、仮想の三次元空間における、受け付けた光源の配置位置及び光源の方向に配置する。
【０１２９】
そして、表示制御部１４Ｃは、この仮想空間内で構成した状態を、３Ｄグラフィックエンジンを利用して、視点Ｐからみた２次元画像に変換してプレビュー画像３４Ａとし、表示部２０へ表示する制御を行う。
【０１３０】
図１２に示すように、プレビュー画像３４Ａは、印刷対象の記録媒体の質感に応じた反射率を反映させつつ、かつ、三次元空間における、光源Ｌと、原稿表示面３２Ａと、視点Ｐと、の位置環境に応じた光の映り込んだ、観察環境に応じたものとなる。
【０１３１】
このため、本変形例では、プレビュー画像３４Ａは、実際の観察環境により近い状態を推定した画像となる。
【０１３２】
従って、本変形例では、第１の実施形態の効果に加えて、更に、実際の観察環境により近い状態を推定したプレビュー画像３４Ａを提供することができる。
【０１３３】
（第３の実施の形態）
図１３は、本実施の形態の表示処理装置１０Ｂの模式図である。
【０１３４】
表示処理装置１０Ｂは、撮影部１２、表示処理部１５、記憶部１６Ａ、入力部１８、表示部２０、及び通信部２５を備える。撮影部１２、表示処理部１５、記憶部１６Ａ、入力部１８、表示部２０、及び通信部２５は、バス２２により電気的に接続されている。
【０１３５】
撮影部１２、入力部１８、及び表示部２０は、第１の実施の形態と同様である。
【０１３６】
表示処理部１５は、ＣＰＵ、ＲＯＭ、及びＲＡＭなどを含んで構成されるコンピュータである。表示処理部１５は、表示処理装置１０Ｂに設けられた装置各部を制御する。なお、表示処理部１５は、ＣＰＵ以外の回路などで構成してもよい。表示処理部１５は、ＯｐｅｎＧＬなどの３Ｄグラフィックエンジンを用いて、表示制御を行う。
【０１３７】
記憶部１６Ａは、メモリやハードディスクドライブ装置（ＨＤＤ）等の記憶媒体であり、後述する各処理を実行するための各種プログラムや、各種データを記憶する。
【０１３８】
本実施の形態では、記憶部１６Ａは、原稿管理テーブルと、観察環境管理テーブルと、編集管理テーブルと、を予め記憶する。これらの原稿管理テーブルと、観察環境管理テーブルと、編集管理テーブルと、は、第１の実施の形態と同様である。
【０１３９】
本実施の形態では、記憶部１６Ａは、更に、プレビュー画像３４の生成の際に用いた、原稿データと、観察環境情報と、編集情報と、を編集履歴として記憶する。なお、これらの原稿データ、観察環境情報、および編集情報の少なくとも１つは、これらの情報の各々を識別する識別情報（原稿ＩＤ、環境ＩＤ、編集ＩＤ）であってもよい。
【０１４０】
図１４は、編集履歴のデータ構造の一例を示す図である。図１４に示すように、編集履歴は、組合せＩＤと、組合せ名と、原稿ＩＤと、環境ＩＤと、編集ＩＤと、を対応づけた情報である。編集履歴は、これらの情報を対応づけた情報であればよく、データベースであってもよいし、テーブルであってもよいし、そのデータ形式は限定されない。
【０１４１】
組合せ名は、対応する、原稿ＩＤと、環境ＩＤと、編集ＩＤと、の組み合わせをユーザが識別するための情報である。組合せ名は、任意の名称を表示処理部１５側で付与してもよいし、ユーザによる入力部１８の操作指示によって入力してもよい。
【０１４２】
編集履歴情報は、表示処理部１５でプレビュー画像を表示する（または表示した）度に、更新されてもよいし、ユーザによる入力部１８の操作指示によって適宜更新されてもよい。
【０１４３】
図１３に戻り、通信部２５は、外部装置４１と通信する通信インターフェースである。通信部２５は、ネットワークを介して外部装置４１と通信してもよいし、ケーブルなどを介して直接外部装置４１と通信してもよい。外部装置４１は、公知のパーソナルコンピュータである。
【０１４４】
表示処理部１５は、第１の実施の形態の表示処理部１４と同様に、原稿データのプレビュー画像を表示部２０へ表示する制御を行う。第１の実施の形態の表示処理部１４と異なる主な点は、表示処理部１５は、複数のプレビュー画像の一覧を表示する点である。表示処理部１５は、第１の実施の形態の表示処理部１４と同様に、例えば、ＯｐｅｎＧＬなどの３Ｄグラフィックエンジンによりプレビュー画像の表示を実現する。
【０１４５】
図１５は、表示処理部１５の機能ブロック図である。表示処理部１５は、受付部１５Ａと、編集部１５Ｂと、表示制御部１５Ｃと、通信制御部１５Ｄと、を含む。
【０１４６】
受付部１５Ａ、編集部１５Ｂ、表示制御部１５Ｃ、及び通信制御部１５Ｄの一部または全ては、例えば、ＣＰＵなどの処理装置にプログラムを実行させること、すなわち、ソフトウェアにより実現してもよいし、ＩＣなどのハードウェアにより実現してもよいし、ソフトウェアおよびハードウェアを併用して実現してもよい。
【０１４７】
受付部１５Ａは、第１の実施の形態の受付部１４Ａと同様に、表示対象の原稿データの選択と、観察環境情報の選択と、を受け付ける。受付部１５Ａは、入力部１８から、原稿データの選択と、観察環境情報の選択と、編集情報の選択と、を受け付ける。
【０１４８】
ただし、本実施の形態では、受付部１５Ａは、表示部２０に表示された選択画面を介して、表示対象の前記原稿データの選択と、前記観察環境情報の選択と、前記編集情報の選択と、を受け付ける。この選択画面は、表示制御部１５Ｃによって表示部２０に表示される。すなわち、表示制御部１５Ｃは、第１の実施の形態の表示制御部１４Ｃの処理に加えて、選択画面を表示部２０に表示する。
【０１４９】
例えば、表示制御部１５Ｃは、記憶部１６Ａから編集履歴情報（図１４参照）を読取り、編集履歴情報によって示される組合せ名の一覧を、選択可能に表示部２０に表示してもよい。このとき、表示制御部１５Ｃは、組合せＩＤ、原稿ＩＤ（または原稿ＩＤによって特定される原稿データ）、環境ＩＤ（または環境ＩＤによって特定される光源情報や背景画像）、編集ＩＤ（または編集ＩＤによって特定される編集情報）の少なくとも１つを、あわせて表示部２０に表示してもよい。
【０１５０】
そして、受付部１５Ａは、ユーザによる入力部１８の操作指示によって、１つの組合せ名が選択されると、該組合せ名に対応する、原稿ＩＤ、環境ＩＤ、及び編集ＩＤを受け付ける。そして、受付部１５Ａは、受け付けた原稿ＩＤに対応する原稿データを表示対象の原稿データとして受け付け、受け付けた環境ＩＤに対応する光源情報を受け付け、受け付けた編集ＩＤに対応する編集情報を受け付ける。そして、編集部１５Ｂ及び表示制御部１５Ｃでは、これらの情報を用いて、第１の実施の形態の編集部１４Ｂ及び表示制御部１４Ｃと同様の処理を行えばよい。
【０１５１】
また、表示制御部１５Ｃは、原稿データ、観察環境情報、及び編集情報の各々を、個別に選択可能な選択画面を表示部２０に表示してもよい。
【０１５２】
図１６は、選択画面７０の一例を示す図である。
【０１５３】
選択画面７０は、編集履歴に示される組合せ名と、記憶部１６Ａに記憶された原稿データと、記憶部１６Ａに記憶された１または複数の観察環境情報と、記憶部１６Ａに記憶された１または複数の編集情報と、の各々を選択可能に表示した画面である。
【０１５４】
選択画面７０は、組合せ名の選択領域７０Ａと、原稿名の表示領域７０Ｂと、観察環境一覧の表示領域７０Ｃと、編集情報一覧の表示領域７０Ｄと、を含む。
【０１５５】
表示制御部１５Ｃは、記憶部１６Ａに記憶されている、編集履歴（図１４参照）と、原稿管理テーブル（例えば、図３参照）と、観察環境テーブル（例えば、図４または図５参照）と、編集管理テーブル（図６参照）と、を読取る。
【０１５６】
そして、表示制御部１５Ｃは、編集履歴に格納されている組合せ名の一覧を、選択領域７０Ａに選択可能に表示する。また、表示制御部１５Ｃは、原稿管理テーブルに格納されている原稿データに対応する原稿名の一覧を、選択領域７０Ｂに選択可能に表示する。また、表示制御部１５Ｃは、観察環境テーブルに格納されている観察環境名の一覧を、選択領域７０Ｃに表示する、また、表示制御部１５Ｃは、編集管理テーブルに格納されている編集名の一覧を、選択領域７０Ｄに表示する。
【０１５７】
このため、ユーザは、入力部１８の操作によって、選択領域７０Ａに表示された組合せ名の一覧の中から、所望の組合せ名を選択し、「ＯＫ」ボタン７０Ｅを選択することで、編集履歴における、選択した組合せ名に対応する原稿ＩＤの原稿データ、環境ＩＤに対応する光源情報（および背景画像）、編集ＩＤに対応する編集情報を、入力することができる。なお、「ｃａｎｃｅｌ」ボタン７０Ｆを選択することで、再度の入力も可能である。
【０１５８】
また、ユーザは、入力部１８の操作によって、選択領域７０Ｂに表示された原稿名の一覧の中から、表示対象の原稿名を選択することで、表示対象の原稿データを選択することができる。同様に、ユーザは、入力部１８の操作によって、選択領域７０Ｃに表示された観察環境名の一覧の中から、プレビュー画像の観察環境を選択することで、所望の観察環境情報を選択することができる。同様に、ユーザは、入力部１８の操作によって、選択領域７０Ｄに表示された編集名の一覧の中から、表示色の編集名を選択することで、所望の編集情報を選択することができる。
【０１５９】
そして、受付部１５Ａは、これらの選択された各情報を受け付ける。すなわち、受付部１５Ａは、選択画面７０を介して、表示対象の原稿データの選択と、観察環境情報の選択と、編集情報の選択と、を受け付ける。
【０１６０】
そして、受付部１５Ａは、選択画面７０を介して選択された、原稿名に対応する原稿データの原稿ＩＤと、観察環境名に対応する環境ＩＤと、編集名に対応する編集ＩＤと、を対応づけて、編集履歴に登録する（図１４参照）。このとき、受付部１５Ａは、新たな組合せ名がユーザによる入力部１８の操作指示によって入力された場合には、入力された組合せ名を対応づけて編集履歴に登録する。また、受付部１５Ａは、新たな組合せＩＤを作成して付与する。また、受付部１５Ａは、第１の実施の形態の受付部１４Ａと同様に、受け付けたこれらの情報を、ユーザによる選択状況を示す選択状況情報として、記憶部１６に記憶する。なお、受付部１５Ａは、後述する処理によってプレビュー画像が表示されるたびに、選択状況情報をクリアする。
【０１６１】
一方、編集履歴に既に登録されている組合せ名が、選択画面７０を介して選択された場合には、受付部１５Ａは、編集履歴の登録（更新）処理は行わず、選択状況情報を行う。
【０１６２】
なお、受付部１５Ａは、複数の観察環境情報、または、複数の編集情報を受け付け可能である。
【０１６３】
例えば、ユーザが、選択画面７０に表示された観察環境名の一覧の中から、プレビュー画像の観察環境を複数選択することで、複数の観察環境情報を選択することができる。同様に、ユーザは、入力部１８の操作によって、選択領域７０Ｄに表示された編集名の一覧の中から、複数の編集名を選択することで、複数の編集情報を選択することができる。
【０１６４】
図１７は、複数の観察環境名、および、複数の編集名の選択された状態の選択画面７２の一例を示す図である。なお、選択画面７２は、観察環境名、および編集名の各々が複数選択された状態を示す以外は、選択画面７０（図１６参照）と同様である。
【０１６５】
そして、受付部１５Ａは、これらの選択された各情報を受け付ける。すなわち、受付部１５Ａは、選択画面７２を介して、表示対象の原稿データの選択と、複数の観察環境情報の選択と、複数の編集情報の選択と、を受け付ける。
【０１６６】
なお、受付部１５Ａは、ユーザによる入力部１８の入力に応じて、観察環境情報、および編集情報の内の何れか一方についてのみ、複数の情報を受け付けてもよい。以下では、一例として、受付部１５Ａが、選択画面７２を介して、表示対象の１つの原稿データの選択と、複数の観察環境情報の選択と、複数の編集情報の選択と、を受け付ける場合を説明する。
【０１６７】
この場合、受付部１５Ａは、選択画面７２を介して選択された、原稿名に対応する原稿データの原稿ＩＤと、複数の観察環境名の各々に対応する環境ＩＤと、選択された複数の編集名の各々に対応する編集ＩＤと、を対応づけて、ユーザによる選択状況を示す選択状況情報として、記憶部１６Ａに記憶する。また、受付部１５Ａは、上記と同様にして、編集履歴（図１４参照）を更新する。
【０１６８】
図１８は、選択状況情報のデータ構造の一例を示す図である。図１８に示す例では、選択状況情報は、受付部１５Ａで受け付けた表示対象の原稿データの原稿ＩＤと、受け付けた複数の観察環境情報の環境ＩＤと、受け付けた複数の編集情報の編集ＩＤと、を対応付けた情報である。なお、選択状況情報は、これらのＩＤの各々に対応する実データ（原稿データ、観察環境情報、編集情報）であってもよい。
【０１６９】
図１５に戻り、受付部１５Ａが複数の編集情報を受け付けると、編集部１５Ｂは、受け付けた複数の編集情報の各々を用いて、選択された原稿データを編集し、複数の編集原稿データを生成する。
【０１７０】
具体的には、編集部１５Ｂは、受け付けた１つの原稿データについて、受け付けた複数の編集情報の各々を用いた編集を個別に行い、各編集情報に対応する複数の編集原稿データを生成する。編集部１５Ｂは、編集情報を用いた原稿データの編集を、第１の実施の形態で説明した編集部１４Ｂと同様にして行う。
【０１７１】
そして、表示制御部１５Ｃは、複数の編集原稿データの各々を表示した複数の原稿面の各々に、受け付けた複数の観察環境情報の各々に対応する光源情報によって特定される複数の光属性の各々を設定することで生成した、複数の原稿表示面の各々を含む複数のプレビュー画像３４の一覧を、表示部２０に表示する制御を行う。
【０１７２】
表示制御部１５Ｃは、第１の実施の形態で説明した表示制御部１４Ｃと同様にして、光属性の設定、原稿表示面の配置、などを行うことで、複数のプレビュー画像３４を生成する。
【０１７３】
すなわち、表示制御部１５Ｃは、原稿データに対して、複数の観察環境情報の各々に対応する光源情報に応じた表示色の調整を行うことで生成された、複数の編集原稿データの各々に対して、更に、複数の光属性を設定することで、複数のプレビュー画像３４を生成する。
【０１７４】
そして、表示制御部１５Ｃは、複数のプレビュー画像３４の一覧を、表示部２０に表示する制御を行う。
【０１７５】
図１９は、複数のプレビュー画像３４の一覧の一例を示す模式図である。図１９に示すように、表示部２０には、複数の編集情報（「やや赤め」、「変更なし」、「やや青め」）と、複数の観察環境情報（本社ビル、ショップ１）と、の各々に対応するプレビュー画像３４（３４Ａ〜３４Ｆ）が表示される。
【０１７６】
具体的には、プレビュー画像３４Ａは、観察環境名「本社ビル」に対応する背景画像３０Ａ上に、編集情報「やや赤め」に応じた表示色の編集がなされた編集原稿データの原稿面に、観察環境名「本社ビル」の観察環境に対応する光属性を設定した原稿表示面３２Ｂを配置した、画像である。
【０１７７】
また、プレビュー画像３４Ｂは、観察環境名「本社ビル」に対応する背景画像３０Ａ上に、編集情報「変更なし」に応じた表示色の編集がなされた編集原稿データの原稿面に、観察環境名「本社ビル」の観察環境に対応する光属性を設定した原稿表示面３２Ｄを配置した、画像である。
【０１７８】
また、プレビュー画像３４Ｃは、観察環境名「本社ビル」に対応する背景画像３０Ａ上に、編集情報「やや青め」に応じた表示色の編集がなされた編集原稿データの原稿面に、観察環境名「本社ビル」の観察環境に対応する光属性を設定した原稿表示面３２Ｆを配置した、画像である。
【０１７９】
また、プレビュー画像３４Ｄは、観察環境名「ショップ１」に対応する背景画像３０Ｂ上に、編集情報「やや赤め」に応じた表示色の編集がなされた編集原稿データの原稿面に、観察環境名「ショップ１」の観察環境に対応する光属性を設定した原稿表示面３２Ｃを配置した、画像である。
【０１８０】
また、プレビュー画像３４Ｅは、観察環境名「ショップ１」に対応する背景画像３０Ｂ上に、編集情報「変更なし」に応じた表示色の編集がなされた編集原稿データの原稿面に、観察環境名「ショップ１」の観察環境に対応する光属性を設定した原稿表示面３２Ｅを配置した、画像である。
【０１８１】
また、プレビュー画像３４Ｆは、観察環境名「ショップ１」に対応する背景画像３０Ｂ上に、編集情報「やや青め」に応じた表示色の編集がなされた編集原稿データの原稿面に、観察環境名「ショップ１」の観察環境に対応する光属性を設定した原稿表示面３２Ｇを配置した、画像である。
【０１８２】
受付部１５Ａは、ユーザによる入力部１８の操作指示によって、表示部２０に表示された複数のプレビュー画像３４の一覧から、１つのプレビュー画像３４の選択を受け付ける。
【０１８３】
通信制御部１５Ｄは、受付部１５Ａで受け付けた、選択されたプレビュー画像３４に対応する、原稿データと、光源情報と、編集情報と、を通信部２５を介して外部装置４１へ送信する。これによって、表示処理部１５は、外部装置４１へ、選択されたプレビュー画像３４の生成に用いる、原稿データと、光源情報と、編集情報と、を送信することができる。このため、外部装置４１では、表示処理装置１０Ｂと同じプレビュー画像３４を作成し表示することができる。
【０１８４】
次に、表示処理装置１０Ｂで実行する表示処理の流れを説明する。図２０は、表示処理装置１０Ｂで実行する表示処理の手順を示すシーケンス図である。
【０１８５】
まず、ユーザが入力部１８を操作することで、入力部１８がプレビュー画像の表示指示を受け付けると、入力部１８は、該表示指示を受付部１５Ａへ送信する（ステップＳ２００）。
【０１８６】
受付部１５Ａは、受け付けた表示指示を、表示制御部１５Ｃへ送信する（ステップＳ２０２）。表示制御部１５Ｃは、表示指示を受け付けると、原稿管理テーブル（図２参照）、観察環境テーブル（図４参照）、編集管理テーブル（図６参照）を読取る（ステップＳ２０４〜ステップＳ２０６）。
【０１８７】
そして、表示制御部１５Ｃは、読取ったこれらのテーブルを用いて、選択画面７０（図１６参照）を生成し、表示部２０に表示する（ステップＳ２０８）。
【０１８８】
ユーザは、表示部２０に表示された選択画面７０を見ながら入力部１８を操作することで、表示対象の原稿データ、プレビュー画像を観察する観察環境名、および、表示色を編集するための編集名を選択する。なお、上述したように、組合せ名を選択してもよい。ここでは、複数の観察環境名、および、複数の編集名が選択される場合を説明する（図１７、選択画面７２参照）。
【０１８９】
これによって、受付部１５Ａは、原稿データ、複数の観察環境情報、および、複数の編集情報を入力部１８から受け付ける（ステップＳ２１０）。
【０１９０】
受付部１５Ａは、受け付けた原稿データに対応する原稿ＩＤ、受け付けた複数の観察環境情報に対応する環境ＩＤ、および、受け付けた複数の編集情報に対応する編集ＩＤを対応づけて、選択状況情報として、記憶部１６Ａに記憶する（ステップＳ２１２）（図１８参照）。また、このとき、受付部１５Ａは、受け付けた原稿データに対応する原稿ＩＤ、受け付けた複数の観察環境情報に対応する環境ＩＤ、および、受け付けた複数の編集情報に対応する編集ＩＤを対応づけて、履歴情報に登録することで、履歴情報（図１４参照）を更新する。
【０１９１】
受付部１５Ａは、ステップＳ２１２で選択状況情報（図１８参照）に格納した原稿ＩＤと、複数の編集ＩＤと、を含む編集信号を、編集部１５Ｂへ送信する（ステップＳ２１４）。
【０１９２】
編集部１５Ｂは、ステップＳ２１４で受け付けた複数の編集ＩＤの各々に対応する編集情報を用いて、ステップＳ２１４で受け付けた原稿ＩＤに対応する原稿データを編集することで、複数の編集原稿データを生成する（ステップＳ２１６）。
【０１９３】
ステップＳ２１６の処理によって、原稿データを表示したときの表示色を、ユーザによって選択された複数の編集情報の各々によって示される表示色に編集した、複数の編集原稿データが生成される。
【０１９４】
次に、編集部１５Ｂは、生成した複数の編集原稿データを表示制御部１５Ｃへ送信する（ステップＳ２１８）。
【０１９５】
表示制御部１５Ｃは、記憶部１６Ａに記憶されている選択状況情報に登録されている、複数の環境ＩＤを読取る。そして、表示制御部１５Ｃは、読取った複数の環境ＩＤの各々に対応する光源情報と、該複数の環境ＩＤの各々に対応する背景画像と、を観察環境テーブル（図４または図５参照）から読取る（ステップＳ２２０〜ステップＳ２２２）。
【０１９６】
次に、表示制御部１５Ｃは、原稿データに対して、複数の編集原稿データの各々に対して、更に、複数の光属性を設定することで、複数のプレビュー画像３４を生成する（ステップＳ２２４）。そして、表示制御部１５Ｃは、複数のプレビュー画像３４の一覧を、表示部２０に表示する制御を行う（ステップＳ２２６）。
【０１９７】
次に、受付部１５Ａが、表示部２０に表示された複数のプレビュー画像３４の一覧から、１つのプレビュー画像３４の選択を入力部１８から受け付ける（ステップＳ２２８）。
【０１９８】
通信制御部１５Ｄは、受付部１５Ａで受け付けた、選択されたプレビュー画像３４に対応する、原稿データと、光源情報と、編集情報と、を、記憶部１６Ａから読取り（ステップＳ２３０〜ステップＳ２３４）、外部装置４１へ送信する（ステップＳ２３６）。
【０１９９】
以上説明したように、本実施の形態の表示処理装置１０Ｂでは、受付部１５Ａが、表示対象の原稿データの選択と、複数の観察環境情報の選択と、複数の編集情報の選択と、を受け付ける。編集部１５Ｂは、受け付けた複数の編集情報の各々を用いて、受け付けた原稿データを編集した、複数の編集原稿データを生成する。表示制御部１５Ｃは、複数の編集原稿データの各々を表示した複数の原稿面の各々に、受け付けた複数の観察環境情報の各々に対応する光源情報によって特定される複数の光属性の各々を設定することで生成した、複数の原稿表示面の各々を含む複数のプレビュー画像３４の一覧を、表示部２０に表示する制御を行う。
【０２００】
このように、本実施の形態の表示処理装置１０Ｂでは、複数の編集情報、または複数の観察環境情報、の組み合わせに応じた、複数のプレビュー画像３４の一覧を、表示部２０に表示することができる。
【０２０１】
従って、本実施の形態の表示処理装置１０Ｂでは、第１の実施の形態の効果に加えて、更に、観察環境や表示色などの条件の異なる複数のプレビュー画像３４の一覧を容易に確認することができる。
【０２０２】
（第４の実施の形態）
なお、上記実施の形態の表示処理装置１０、１０Ｂで行っていた処理の少なくとも一部を、表示処理装置１０、１０Ｂとネットワーク等を接続されたクラウド上の一以上の装置で行ってもよい。
【０２０３】
図２１は、クラウドを備えた表示処理システムの一例を示す模式図である。
【０２０４】
図２１に示すように、表示処理システムは、表示処理装置１０Ｃ、及びサーバ装置５４がネットワーク５２により接続された構成である。
【０２０５】
表示処理装置１０Ｃは、撮影部１２、表示処理部１７、記憶部１６、入力部１８、表示部２０、及び通信部５０を備える。撮影部１２、表示処理部１５、記憶部１６、入力部１８、表示部２０、及び通信部５０は、バス２２で接続されている。なお、撮影部１２、記憶部１６、入力部１８、および表示部２０は、上記実施の形態と同様である。
【０２０６】
表示処理部１７は、受付部１４Ａ、及び表示制御部１４Ｃを備える。表示処理部１７は、編集部１４Ｂを備えない構成である以外は、第１の実施の形態と同様である。
【０２０７】
サーバ装置５４は、クラウド上の位置の装置である。サーバ装置５４は、上記で説明した編集部１４Ｂを備える。編集部１４Ｂの機能は、上記実施の形態と同様である。
【０２０８】
なお、上記実施の形態と異なる点は、本実施の形態においては、受付部１４Ａで受け付けた情報をサーバ装置５４へ送信し、編集部１４Ｂの処理をサーバ装置５４上で実行し、生成した各種情報を、サーバ装置５４から表示処理装置１０Ｃへ送信する点である。また、表示処理装置１０Ｃにおける表示処理部１７の表示制御部１４Ｆは、サーバ装置５４から取得した各種情報から、プレビュー画像の生成及び表示制御を行う。
【０２０９】
なお、サーバ装置５４が行う処理は本例に限定されるものではなく、サーバ装置５４は、本実施の形態にかかる画像形成システムが行う処理の一部を行うことができる。
【０２１０】
また、画像形成システムは、２以上のサーバ装置を備えてもよい。この場合には、実施の形態にかかる画像形成システムが行う処理の一部を、各サーバ装置に分散させる。さらに、各サーバに分散させる処理については、任意に設定することができる。
【０２１１】
（第５の実施の形態）
次に、上述した表示処理装置１０、１０Ｂ、１０Ｃ、およびサーバ装置５４のハードウェア構成について説明する。
【０２１２】
図２２は、表示処理装置１０、１０Ｂ、１０Ｃ、およびサーバ装置５４のハードウェア構成図である。表示処理装置１０、１０Ｂ、１０Ｃ、およびサーバ装置５４は、ハードウェア構成として、装置全体を制御するＣＰＵ２９０１と、各種データや各種プログラムを記憶するＲＯＭ２９０２と、各種データや各種プログラムを記憶するＲＡＭ２９０３と、キーボードやマウス等の入力装置２９０５と、ディスプレイ装置等の表示装置２９０４とを主に備えており、通常のコンピュータを利用したハードウェア構成となっている。なお、入力装置２９０５は、図１の入力部１８に相当し、表示装置２９０４は、図１の表示部２０に相当する。
【０２１３】
上記実施の形態の表示処理装置１０、１０Ｂ、１０Ｃ、及びサーバ装置５４で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２１４】
また、上記実施の形態の表示処理装置１０、１０Ｂ、１０Ｃ、及びサーバ装置５４で実行されるプログラムを、インターネット等のネットワークに接続されたコンピュータ上に格納し、ネットワーク経由でダウンロードさせることにより提供するように構成してもよい。また、上記実施の形態の表示処理装置１０、１０Ｂ、１０Ｃ、及びサーバ装置５４で実行されるプログラムをインターネット等のネットワーク経由で提供または配布するように構成してもよい。
【０２１５】
また、上記実施の形態の表示処理装置１０、１０Ｂ、１０Ｃ、及びサーバ装置５４で実行されるプログラムを、ＲＯＭ等に予め組み込んで提供するように構成してもよい。
【０２１６】
上記実施の形態の表示処理装置１０、１０Ｂ、１０Ｃ、及びサーバ装置５４で実行されるプログラムは、上述した各部を含むモジュール構成となっており、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。
【０２１７】
なお、本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。さらに、異なる実施の形態にわたる構成要素を適宜組み合わせてもよい。また、種々の変形が可能である。
【符号の説明】
【０２１８】
１０、１０Ｂ、１０Ｃ  表示処理装置
１２  撮影部
１４、１５、１７  表示処理部
１４Ａ、１５Ａ  受付部
１４Ｂ、１５Ｂ  編集部
１４Ｃ、１５Ｃ  表示制御部
１５Ｄ  通信制御部
１８  入力部
２０  表示部
【先行技術文献】
【特許文献】
【０２１９】
【特許文献１】特開２０１２−４４４２１号公報
【特許文献２】特許４６８３１３２号公報
【図１】
2015233234.tif 000003
【図２】
2015233234.tif 000004
【図３】
2015233234.tif 000005
【図４】
2015233234.tif 000006
【図５】
2015233234.tif 000007
【図６】
2015233234.tif 000008
【図７】
2015233234.tif 000009
【図８】
2015233234.tif 000010
【図９】
2015233234.tif 000011
【図１０】
2015233234.tif 000012
【図１１】
2015233234.tif 000013
【図１３】
2015233234.tif 000014
【図１４】
2015233234.tif 000015
【図１５】
2015233234.tif 000016
【図１６】
2015233234.tif 000017
【図１７】
2015233234.tif 000018
【図１８】
2015233234.tif 000019
【図１９】
2015233234.tif 000020
【図２０】
2015233234.tif 000021
【図２１】
2015233234.tif 000022
【図２２】
2015233234.tif 000023
【図１２】
2015233234.tif 000024